(57)【要約】【課題】機種変更用の複数の装備品の間違いを回避でき、しかも機種変更用装備品の梱包作業及び管理や搬送作業を簡単化且つ能率的に行えるようにすること。【解決手段】入賞図柄表示パネル６に複数の連結用フック６ａと、メイン表示パネル８に複数の連結用フック８ａと、イメージパネル１７に複数の連結用フック１７ａとを夫々形成し、最長長さＬと最大幅Ｗを有する組付け補助ボード７０に、入賞図柄表示パネル６を収容する収容凹部７０ａと、複数の切欠き７０ｂと、複数の挿通穴７０ｃ，７０ｄを形成する。入賞図柄表示パネル６を収容凹部７０ａに収容し、各連結用フック１７ａを切欠き７０ｂに対応させ、連結用フック８ａを挿通穴７０ｃに対応させ、連結用フック１７ａを挿通穴７０ｄに対応させることで、これら装飾パネル６，８，１７は一体化され、最後に連結用フック６ａを介してリールユニットに一体的に組付ける。【選択図】　図５
2004129700.tif 000002
【特許請求の範囲】
【請求項１】
複数種の図柄を夫々表示した複数のリール（５４　〜５６）　を夫々回転させて図柄を可変表示させる可変表示手段（５０）と、複数のリール（５４　〜５６）　（５４　〜５６）　の回転を開始させる開始操作手段（１３）と、複数のリールを夫々停止させる複数の停止操作手段（１４　〜１６）　とを備え、複数のリール（５４　〜５６）　の回転を停止させたときにリール前面側の図柄表示領域に表示された図柄の組み合わせ態様が特定の態様となった場合に遊技者に有利な利益状態を付与するようにした遊技機において、
前面開放状の箱状本体（２）　と、
この箱状本体（２）　の前面を開閉可能に箱状本体（２）　に枢着された前扉（３）　と、前記可変表示手段（５０）の一部を構成する表示ユニット（５１）であって、前記複数のリール　（５４〜５６）　を有し前記箱状本体（２）　の内部に着脱可能に装着される表示ユニット（５１）と、
前記箱状本体（２）　と前扉（３）　の少なくとも一方に着脱可能に設けられる１又は複数の装備品（６，８，１７，５８，５９）とを備え、
前記箱状本体（２）　に組付ける前の表示ユニット（５１）に、箱状本体（２）　と前扉（３）　の少なくとも一方に組付ける前の前記装備品（６，８，１７，５８，５９）を着脱可能に一体的に組付けるように構成したことを特徴とする遊技機。
【請求項２】
複数種の図柄を夫々表示した複数のベルト（８７）を夫々回転させて図柄を可変表示させる可変表示手段（５０Ａ）　と、複数のベルト（８７）の回転を開始させる開始操作手段（１３）と、複数のベルト（８７）を夫々停止させる複数の停止操作手段（１４　〜１６）　とを備え、複数のベルト（８７）の回転を停止させたときにベルト前面側の図柄表示領域に表示された図柄の組み合わせ態様が特定の態様となった場合に遊技者に有利な利益状態を付与するようにした遊技機において、
前面開放状の箱状本体（２Ａ）と、
この箱状本体（２Ａ）の前面を開閉可能に箱状本体（２Ａ）に枢着された前扉（３Ａ）と、前記可変表示手段（５０Ａ）　の一部を構成する表示ユニット（８０）であって、前記複数のベルト（８７）を有し前記箱状本体（２Ａ）の内部に着脱可能に装着される表示ユニット（８０）と、
前記箱状本体（２Ａ）と前扉（３Ａ）の少なくとも一方に着脱可能に設けられる１又は複数の装備品（６，８，１７，５８，５９）とを備え、
前記箱状本体（２Ａ）に組付ける前の表示ユニット（８０）に、箱状本体（２Ａ）と前扉（３Ａ）の少なくとも一方に組付ける前の前記装備品（６，８，１７，５８，５９）を着脱可能に一体的に組付けるように構成したことを特徴とする遊技機。
【請求項３】
前記装備品（６，８，１７，５８，５９）は、所定の遊技動作を制御する遊技制御基板（５８）及びその基板ケース（５９）を含むことを特徴とする請求項１又は２に記載の遊技機。
【請求項４】
前記装備品（６，８，１７，５８，５９）は、遊技者側から目視可能な装飾部材（６，８，１７）を含むことを特徴とする請求項１又は２に記載の遊技機。
【請求項５】
前記可変表示ユニット（５０，５０Ａ）はリール（５４　〜５６）　又はベルト（８７）を回転可能に支持する本体フレーム（５２，８１）　を有し、前記本体フレーム（５２，８１）　と装備品（６，８，１７，５８，５９）の少なくとも一方に設けた連結手段（６ａ，８ａ，１７ａ）　を介して本体フレーム（５２，８１）　に装備品（６，８，１７，５８，５９）を着脱自在に一体的に組付けるように構成したことを特徴とする請求項１〜４の何れかに記載の遊技機。
【発明の詳細な説明】
【０００１】
【発明の属する技術分野】本発明は、外周面（表面）に複数種の図柄が表示されたリールやベルト等を複数並設した遊技機に関する。
【０００２】
【従来の技術】従来、遊技機であるスロットマシンには、３つの回転リール、スタートレバー、３つの回転リールに対応する３つのストップボタンが設けられている。遊技者は、遊技媒体であるメダルを１〜３枚投入し、スタートレバーを操作して３つの回転リールを回転させ、３つのストップボタンを順次操作して回転する回転リールを順次停止させて１回のゲームを行う。各回転リールの外周面には複数種の図柄（例えば、「７」、「ＢＡＲ」、「ベル」、「チェリー」、「リプレイ図柄」等の２１個の図柄）が表されており、回転リールが回転することにより、スロットマシン前面の表示パネルに形成された図柄表示窓を介して複数の遊技図柄が高速で変動表示される。
【０００３】
３つのストップボタンの停止操作により３つの回転リールが回転停止したとき、図柄表示窓に変動停止して表示される図柄のうち、メダルの投入枚数に応じて有効となる入賞ライン上に並ぶ図柄の組合せ態様が、大当り態様（「７」が３つ揃う態様）、小当り態様（「ＢＡＲ」が３つ揃う態様）、小役態様（「ベル」が３つ揃う態様等）、リプレイ態様（「リプレイ図柄」が３つ揃う態様）、外れ態様等の何れかになる。ところで、スロットマシンは機種毎に、遊技内容や遊技テーマが異なるため、スロットマシンの前面に有する種々の装飾パネル、リールに表された複数種の図柄、更には遊技制御の制御内容が異なっている。
【０００４】
即ち、現在稼働中のスロットマシンの機種変更を行う場合、つまり新装開店を行う場合には、基本的に、スロットマシン自体を変更するようになっているため、交換作業が複雑化し、新装開店費用が高くなる等、作業面やコスト面で不利である。そこで、特開平６−２３１３４号公報に記載の遊技設備には、図柄回動ユニットや制御基板ケース等の内装部品と図柄表示パネル等の外装部品を矩形枠体に組み込んで装着ユニットを構成し、その装着ユニットを扉体の上半部分に装着するようにしてあるため、機種変更に際しては、接続ケーブルを取外してから装着ユニット、装飾表示パネルを簡単に交換できるようにしてある（例えば、特許文献１参照）。
【０００５】
また、特開平１０−５２５２５号公報に記載のスロットマシンには、本体箱の上半部分に上部ドアを枢着するとともに、本体箱の下半分に下部ドアを枢着し、上部ドアの裏側に、リール装置と主基板とを一体的に装着するようにしてある。それ故、機種変更に際しては、接続ケーブルを取外してから上部ドアだけを本体箱から取外して交換できるようにしてある。このとき、下部ドアに着脱可能に取り付けてある装飾パネルも同時に交換する（例えば、特許文献２参照）。
【０００６】
【特許文献１】
特開平６−２３１３４号公報　（第３頁、図１）
【特許文献２】
特開平１０−５２５２５号公報　（第５〜６頁、図１）
【０００７】
【発明が解決しようとする課題】特開平６−２３１３４号公報に記載の遊技設備や特開平１０−５２５２５号公報に記載のスロットマシンにおいては、図柄回動ユニット又はリール装置と、制御用基板ケースと、図柄表示パネル等の装飾パネルを組み込んでユニット化されているが、その他の上側の入賞表示パネル又は下部の装飾表示パネルは依然として別体であるため、スロットマシンの機種変更用の交換装備品として、メーカー側においては、リールユニットと、それ以外の各種のパネルを夫々別体として梱包するため、梱包数が増えて梱包作業が複雑化するだけでなく、機種毎に複数の梱包を１セットとして管理しなければならず、機種毎の梱包管理が複雑化すること、等の問題がある。
【０００８】
また、機種交換用の複数の梱包を１セットとして、搬送用トラックにより機種毎に遊技場に搬送する場合、各梱包には機種名や品名が記載されてはいるが、機種名や品名の文字が小さな文字で記載されていたり、汚れて読みにくい場合もあり、搬送用トラックに積み込む際に積み間違いが発生したり、遊技場で梱包を降ろす際に異なる機種の梱包を間違えて降ろす等、搬送中の梱包間違いが生じるという問題がある。
【０００９】
本発明の目的は、機種変更用の複数の装備品の間違いを回避でき、しかも機種変更用装備品の梱包作業及び管理や搬送作業を簡単化且つ能率的に行えるようにすること、等である。
【００１０】
【課題を解決するための手段】請求項１の遊技機は、複数種の図柄を夫々表示した複数のリールを夫々回転させて図柄を可変表示させる可変表示手段と、複数のリールの回転を開始させる開始操作手段と、複数のリールを夫々停止させる複数の停止操作手段とを備え、複数のリールの回転を停止させたときにリール前面側の図柄表示領域に表示された図柄の組み合わせ態様が特定の態様となった場合に遊技者に有利な利益状態を付与するようにした遊技機において、前面開放状の箱状本体と、この箱状本体の前面を開閉可能に箱状本体に枢着された前扉と、可変表示手段の一部を構成する表示ユニットであって、複数のリールを有し箱状本体の内部に着脱可能に装着される表示ユニットと、箱状本体と前扉の少なくとも一方に着脱可能に設けられる１又は複数の装備品とを備え、箱状本体に組付ける前の表示ユニットに、箱状本体と前扉の少なくとも一方に組付ける前の装備品を着脱可能に一体的に組付けるように構成したものである。
【００１１】
箱状本体には、前扉が開閉可能に枢着されるとともに、複数のリールを有する表示ユニットが着脱可能に装着されている。また、１又は複数の装備品は箱状本体と前扉の少なくとも一方に着脱可能に設けられている。ところで、箱状本体と前扉の少なくとも一方に組付ける前の装備品は、箱状本体に組付ける前の表示ユニットに一体的に組付けが可能なようになっている。即ち、これら表示ユニットと各種の装備品とを一体的に組付けて管理でき、１つの梱包として扱うことができる。
【００１２】
請求項２の遊技機は、複数種の図柄を夫々表示した複数のベルトを夫々回転させて図柄を可変表示させる可変表示手段と、複数のベルトの回転を開始させる開始操作手段と、複数のベルトを夫々停止させる複数の停止操作手段とを備え、複数のベルトの回転を停止させたときにベルト前面側の図柄表示領域に表示された図柄の組み合わせ態様が特定の態様となった場合に遊技者に有利な利益状態を付与するようにした遊技機において、前面開放状の箱状本体と、この箱状本体の前面を開閉可能に箱状本体に枢着された前扉と、可変表示手段の一部を構成する表示ユニットであって、複数のベルトを有し箱状本体の内部に着脱可能に装着される表示ユニットと、箱状本体と前扉の少なくとも一方に着脱可能に設けられる１又は複数の装備品とを備え、箱状本体に組付ける前の表示ユニットに、箱状本体と前扉の少なくとも一方に組付ける前の装備品を着脱可能に一体的に組付けるように構成したものである。
【００１３】
この場合、箱状本体には、前扉が開閉可能に枢着されるとともに、複数のヘルトを有する表示ユニットが着脱可能に装着されている。また、１又は複数の装備品は箱状本体と前扉の少なくとも一方に着脱可能に設けられている。ところで、箱状本体と前扉の少なくとも一方に組付ける前の装備品は、箱状本体に組付ける前の表示ユニットに一体的に組付けが可能なようになっているため、前記請求項１と同様に作用する。
【００１４】
ここで、前記装備品は、所定の遊技動作を制御する遊技制御基板及びその基板ケースを含むようにしてもよい。また、前記装備品は、遊技者側から目視可能な装飾部材を含むようにしてもよい。また、前記可変表示ユニットはリール又はベルトを回転可能に支持する本体フレームを有し、本体フレームと装備品の少なくとも一方に設けた連結手段を介して本体フレームに装備品を着脱自在に一体的に組付けるように構成するようにしてもよい。
【００１５】
【発明の実施の形態】以下、本発明の実施の形態について図面を参照して説明する。本実施形態は、遊技媒体であるメダルが１〜３枚投入された状態で、遊技者がスタートレバーを操作して３つの回転リールを回転させてから、３つのストップボタンを順次操作して、回転中の３つの回転リールを順次停止させてゲームを行うようにしたスロットマシンに本発明を適用した場合の一例である。
【００１６】
図１，図２，図４に示すように、スロットマシン１は、遊技ホールの島構造体（図示略）に取付けられた前面開放状の箱状本体２を備え、この箱状本体２に前扉３が開閉可能に枢着されている。前扉３には、上側から順番に、上部中央の装飾ランプ４及び上部両側の装飾ランプ５と、入賞図柄表示パネル６と、液晶ディスプレイからなる演出表示部７と、遊技用のメイン表示パネル８とが設けられている。その下側に、メダル精算ボタン９と、メダル１枚投入ボタン１０と、メダル３枚投入ボタン１１と、メダル投入口１２とが設けられている。
【００１７】
更に、その下側にはスタートレバー１３（これが開始操作手段に相当する）と、３つのストップボタン１４〜１６（これらが複数の停止操作手段に相当する）とが夫々が設けられ、その下側には更に、遊技テーマをイメージするイメージパネル１７と、左右１対のスピーカ１８と、メダル払出し口１９と、メダル受け皿２０とが夫々設けられている。但し、入賞図柄表示パネル６の裏面に左右１対の連結用フック６ａ（図３，図５参照）が後方向きに夫々形成され、前扉３の上部に形成された取付け凹部２１のコーナ部に、これら連結用フック６ａを挿通させるフック穴２１ａが夫々形成されている。
【００１８】
そこで、各連結用フック６ａを対応するフック穴２１ａに挿通させることで、連結用フック６ａの先端部がフック穴２１ａの奥側の外周に係合するため、入賞図柄表示パネル６が取付け凹部２１に着脱可能に固定される。また、イメージパネル１７の裏面に左右２対の連結用フック１７ａ（図３，図５参照）が夫々形成され、前扉３の下部に形成された取付け凹部２３のコーナ部に、これら連結用フック１７ａを挿通させるフック穴２３ａが夫々形成されている。
【００１９】
そこで、各連結用フック１７ａを対応するフック穴２３ａに挿通させることで、連結用フック１７ａの先端部がフック穴２３ａの奥側の外周に係合するため、イメージパネル１７が取付け凹部２３に着脱可能に固定される。入賞図柄表示パネル６には、「７（赤）・７（赤）・７（赤）」や「７（白）・７（白）・７（白）」が揃う組合せが大当り態様（ビッグボーナス）、「ＢＡＲ・ＢＡＲ・ＢＡＲ」が揃う小当り態様、「ベル・ベル・ベル」や「７（赤）・プラム・プラム」が揃う小役態様等の、入賞図柄の組み合わせが入賞種類に分類して図示されている。
【００２０】
メイン表示パネル８は前扉３に形成された矩形状の開口部２２に着脱可能に取付けられている。即ち、図３に示すように、その開口部２２の直ぐ奥側に位置するように、略Ｕ字状のランプ基板２５が前扉３に固着され、メイン表示パネル８の裏面に左右２対の連結用フック８ａ（図３，図５参照）が夫々形成され、ランプ基板２５のコーナ部に、これら連結用フック８ａを挿通させるフック穴２５ａが夫々形成されている。そこで、各連結用フック８ａを対応するフック穴２５ａに挿通させることで、連結用フック８ａの先端部がフック穴２５ａの奥側の外周に係合するため、メイン表示パネル８が開口部２２に着脱可能に固定される。
【００２１】
ここで、入賞図柄表示パネル６と、メイン表示パネル８と、イメージパネル１７等が装備品に相当する。メイン表示パネル８には、縦長の３つの図柄表示窓２７が左右に並べて形成されている。これら図柄表示窓２７に、後述する回転リール５４〜５６の前端側部分が夫々接近状に臨んでいる。メイン表示パネル８の左端側部には、１枚のメダル投入を表示する１つの１枚投入表示部３０と、２枚のメダル投入を表示する２つの２枚投入表示部３１と、３枚のメダル投入を表示する２つの３枚投入表示部３２と、スタート（ＳＴＡＲＴ）　表示部３３とが夫々設けられている。
【００２２】
メイン表示パネル８の右端側部には、ビッグ（ＢＩＧ）　表示部３４と、レギュラー（ＲＥＧ）　表示部３５と、リプレイ（ＲＥＰＬＡＹ）表示部３６と、ウェイト（ＷＡＩＴ）表示部３７と、インサート（ＩＮＳＥＲＴ）表示部３８とが設けられている。そして、各表示部３０〜３８に対応するように、ランプ基板２５には表示用ランプが夫々設けられ、これら表示用ランプが点灯した場合、点灯した表示部３０〜３８に表された文字情報の機能が有効になる。
【００２３】
メイン表示パネル８には、更に、図１に示すように、１枚のメダル投入で有効化される１つの１枚用入賞ライン４０と、２枚のメダル投入で有効化される２つの２枚用入賞ライン４１と、３枚のメダル投入で有効化される２つの３枚用入賞ライン４２とが夫々表されている。投入されたメダルが１枚の場合には１本の入賞ライン４０だけが有効化されるが、２枚投入の場合には３本の入賞ライン４０，４１が有効化され、３枚投入の場合には５本全ての入賞ライン４０〜４２が有効化される。
【００２４】
ここで、ゲームを終了したときに有効化された入賞ライン４０〜４２の何れかの停止図柄の組合せ態様は、赤の「７，７，７」又は白の「７，７，７」が揃う大当たり態様と、「ＢＡＲ，ＢＡＲ，ＢＡＲ」が揃う小当たり態様と、「７（赤），スイカ，スイカ」と「７（白），スイカ，スイカ」と「ＢＡＲ，スイカ，スイカ」と１つの「チェリー」を有する複数種類の小役態様と、３つの「リプレイ図柄」が揃うリプレイ態様であったり、それ以外の外れ態様である。
【００２５】
大当たり態様と小当たり態様が成立した場合には、夫々１５枚のメダルが付与され、「チェリー」を含む小役態様だけは２枚のメダルが付与されるが、その他の小役態様では１０枚のメダルが付与される。但し、リプレイ態様が成立した場合には、メダルの払出しは受けないが、メダルを投入することなく次のゲームを実行可能となる。大当たり態様（これが特定態様に相当する）が成立した場合には、１５枚のメダル付与に加えて遊技者に利益状態である有利なビッグボーナスが発生する。
【００２６】
また、小当たり態様（これも特定態様に相当する）が成立した場合には、１５枚のメダル付与に加えて遊技者に有利な利益状態であるレギュラーボーナスが発生する。メイン表示パネル８の下端側部には、貯留枚数表示部４３と、特別遊技表示部４４と、付与枚数表示部４５とが設けられている。貯留枚数表示部４３と付与枚数表示部４５に対応させて、ランプ基板２５には２桁の数字を表示可能な７セグメントからなるＬＥＤ（発光ダイオード）が夫々設けられ、特別遊技表示部４４に対応させて、ランプ基板２５には４桁の数字を表示可能な７セグメントからなるＬＥＤが設けられている。
【００２７】
ところで、箱状本体２の内部の高さ方向中段部よりやや低い位置には、図２，図４に示すように、棚板４７が固定され、その棚板４７の上面に後述する可変表示機構５０（これが可変表示手段に相当する）が着脱可能に装着されるようになっている。
【００２８】
次に、可変表示機構５０について、図４，図８に基づいて説明する。
可変表示機構５０は、３つ（左側、中央、右側）の回転リール５４〜５６及びこれらを回転駆動する駆動モータ（図示略）とモータ駆動回路（図示略）等を組み込んだリールユニット（これが表示ユニットに相当する）５１と、主制御基板５８を収容した基板ケース５９等を一体的に組み合わせて構成されている。
【００２９】
次に、リールユニット５１について説明する。
前方開放状の本体フレーム５２内に、前後方向向きの３枚の仕切り板５３が所定間隔おきに平行に固定されている。各仕切り板５３に駆動モータ（図示略）が夫々固着され、各駆動モータの駆動軸に回転リール５４〜５６の中心部が取り付けられている。それ故、駆動モータの回転により各回転リール５４〜５６は個別に回転可能であり、回転リール５４〜５６の回転位置は位置検出センサ（図示略）で夫々検出可能になっている。
【００３０】
各回転リール５４〜５６の外周面には複数種類の遊技図柄（例えば、図１に示すように、「７（赤）」、「７（白）」、「ＢＡＲ」、「ベル」、「Ｒ」等の図柄）が夫々表されている。ここで、図示しないが、各回転リール５４〜５６の内側には、前方側の連続する３つの図柄を後方から照明するランプ（図示略）が設けられている。それ故、回転リール５４〜５６が回転した場合、回転リール５４〜５６の外周部に表された複数種の図柄が図柄表示窓２７を介して変動表示され、回転リール５４〜５６の回転が停止した場合、図柄表示窓２７の上段と中段と下段に、回転リール５４〜５６の複数の図柄のうちの前側に位置する３つの連続する図柄だけが図柄表示窓２７を介して停止表示される。
【００３１】
ところで、本体フレーム５２の上面の後端部に、遊技制御を主に司る主制御基板５８を収容した基板ケース５９が図示外の固定金具により縦向きに固定されている。この主制御基板５８には、１チップ化されたマイクロコンピュータ（図示略）や主制御プログラムを格納したプログラムＲＯＭ６０等が設けられている。そして、これら主制御基板５８と、リールユニット５１と、後述するメダル払い出し装置６８等の制御基板が、複数本の配線を結束した複数の接続ケーブル６１〜６３により相互に電気的に接続されている。
【００３２】
ところで、本体フレーム５２には、本体フレーム５２の左右両側壁の下端部を部分的に切り起こした水平状の係合片５２ａが夫々形成されている。そして、棚板４７の上面には、図４に示すように、左右１対の係合片５２ａに係脱可能な左右１対の係合部材６５，６６が夫々固定されている。
【００３３】
但し、各係合部材６５，６６は左側又は右側の一段低い取付け壁６５ａ，６６ａにおいてビス止めされるとともに、奥側（後側）において縦壁で塞がれている。このように、リールユニット５１に複数の係合片５２ａを設けると共に、箱状本体２に複数の係合片５２ａが夫々係脱可能な複数の係合部材６５，６６を設けて、リールユニット５１を着脱可能になっている。
【００３４】
そこで、リールユニット５１を箱状本体２に装着するに際して、各係合片５２ａを対応する係合部材６５，６６に係合させることで、リールユニット５１を箱状本体２に位置決めして容易に取付けることができる。箱状本体２の下側には、主制御基板５８やリールユニット５１等の複数の制御基板の各々に電力を供給する電源ユニット６７と、入賞した場合に入賞の種類に応じた枚数のメダルを払出すメダル払出し装置６８等が設けられている。
【００３５】
このメダル払出し装置６８で払出されたメダルは、メダル受け皿２０に貯留される。ここで、可変表示機構５０が複数種の図柄を夫々表した複数の回転リール５４〜５６を夫々回転させて図柄を可変表示させる可変表示手段に相当し、スタートレバー１３が複数の回転リール５４〜５６の回転を開始させる開始操作手段に相当し、３つのストップボタン１４〜１６が複数の回転リール５４〜５６を夫々停止させる停止操作手段に相当する。また、連結用フック６ａ，８ａ，１７ａが連結手段に相当する。
【００３６】
次に、このように構成されたスロットマシン１に装備される可変表示機構５０（リールユニット５１）と３枚のパネル６，８，１７を、メーカーにおいて１つの箱に梱包するときの作用及び効果について説明する。但し、図５に示すように、これら３枚のパネル６，８，１７の左右方向寸法（長さ）と縦方向寸法（幅）とが夫々異なっており、長さ寸法は、イメージパネル１７＞メイン表示パネル８＞入賞図柄表示パネル６である。また、幅寸法は、メイン表示パネル８＞イメージパネル１７＞入賞図柄表示パネル６である。
【００３７】
ここで、図５に示すように、最大長さを有するイメージパネル１７の長さ寸法Ｌを基準とし、また最大幅を有するメイン表示パネル８の幅寸法Ｗを基準として、幅寸法と長さ寸法とが最も短い入賞図柄表示パネル６に、これら基準長さ寸法Ｌと基準幅寸法Ｗとで基準サイズとする矩形状の組付け補助ボード７０を準備する。この組付け補助ボード７０は、図５，図７に示すように、入賞図柄表示パネル６の厚さを有する基準サイズ（基準長さＬ×基準幅Ｗ）のボード２枚を接着剤にて張り合わせた二重構造である。
【００３８】
但し、張り合わせた２枚の基準サイズのボードのうち、外側のボード（図５にて右側のボード）の略中央部に、入賞図柄表示パネル６と同形状にくり貫かれた収容凹部７０ａが形成され、この入賞図柄表示パネル６の左右１対の連結用フック６ａは組付け補助ボード７０を貫通して外部に貫通可能である。この場合、この組付け補助ボード７０には、長さ方向両端部において、イメージパネル１７の４つの連結用フック１７ａの本体部を交わす４つの切欠き７０ｂが夫々形成されている。
【００３９】
これら切欠き７０ｂよりも中央部側には、メイン表示パネル８の４つの連結用フック８ａを挿通させる挿通穴７０ｃが夫々形成され、更に入賞図柄表示パネル６の１対の連結用フック６ａを挿通させる挿通穴７０ｄが夫々形成されている。ところで、基板ケース５９の裏面側と本体フレーム５２の裏面側には、図７に示すように、入賞図柄表示パネル６の１対の連結用フック６ａを挿通させて係合するための挿通穴５９ａ，５２ａが夫々形成されている。
【００４０】
そこで、組付けに際して、先ず、入賞図柄表示パネル６を収容凹部７０ａに収容するのと同時に、その連結用フック６ａを挿通穴７０ｄに挿通させる。次に、メイン表示パネル８の４つの連結用フック８ａを挿通穴７０ｃに夫々挿通させて、これら連結用フック８ａの先端部で弾性を介して組付け補助ボード７０に係合させることで、メイン表示パネル８を入賞図柄表示パネル６に組付ける。
【００４１】
更に、メイン表示パネル８をサンドイッチ状に挟むように、イメージパネル１７の４つの連結用フック１７ａを４つの切欠き７０ｂを交わして、これら連結用フック１７ａの先端部で弾性を介して組付け補助ボード７０に係合させることで、イメージパネル１７を入賞図柄表示パネル６に組付ける。これにより、組付け補助ボード７０を介して、イメージパネル１７とメイン表示パネル８と入賞図柄表示パネル６とを一体的に組付けることができる。
【００４２】
そして、最終的に、図７に示すように、組付け補助ボード７０を貫通した入賞図柄表示パネル６の連結用フック６ａを本体フレーム５２と基板ケース５９の挿通穴５２ａ，５９ａを夫々挿通させて、その先端部で弾性を介して本体フレーム５２及び基板ケース５９に係合させる。その結果、図６，図７に示すように、３枚のパネル６，８，１７を一体化し、この一体化したパネル６，８，１７をリールユニット５１に着脱可能に一体的に組付けることができる。
【００４３】
そして、図８に示すように、必要に応じて、これら３枚のパネル６，８，１７を着脱可能にリールユニット５１に一体的に組付けた状態で１つの箱ケース７２により梱包して管理しておくことができる。それ故、機種変更に伴う装備品が必要な場合、変更機種に該当する装備品の梱包をトラック等に積載し、遊技場に搬送することができる。そのため、機種変更用の装備品の梱包作業及び管理が簡単化するだけなく、機種変更に必要な種々の装備品を間違いを解消することができ、搬送作業を能率的に行うことができる。
【００４４】
次に、前記実施形態の変更形態について説明する。但し、前記実施形態と同じものには同一符号を付して説明する。
１〕図９に示すように、樹脂製又は金属製の枠フレーム７４を設け、この枠フレーム７４にリールユニット５１と、主制御基板５８を収容した基板ケース５９とを取付けて可変表示機構５０Ａを構成し、３枚の装飾パネル６，８，１７を一体化するとともに、これら装飾パネル６，８，１７の何れかの連結用フック６ａ，８ａ，１７ａを用いて、可変表示機構５０Ａの枠フレーム７４の後側に一体的に組付けるようにしてもよい。
【００４５】
この場合、一体化した３枚の装飾パネル６，８，１７を、本体フレーム５２や枠フレーム７４に別体として取付けた各種の組付け治具によりリールユニット５１に一体的に組付けるようにしてもよい。
【００４６】
２〕３枚の装飾パネル６，８，１７の各コーナー部に所定長さを有する連結手段としての磁気テープや粘着テープを貼着し、これらテープを用いて３枚の装飾パネル６，８，１７を一体化するとともに、これら何れかの装飾パネル６，８，１７に組付け専用に取付けた組付け用テープを用いて、これら装飾パネル６，８，１７を本体フレーム５２や枠フレーム７４に一体的に組付けるようにしてもよい。この場合、磁気テープや粘着テープにより、装飾パネル６，８，１７を前扉３に取付けることができる。
【００４７】
３〕主制御基板５９を収容した基板ケース５９を装備品として、この基板ケース５９を連結用フックを介して、装飾パネル６，８，１７と共に一体化して、リールユニット５１に一体的に組付けるようにしてもよい。
４〕本発明は以上説明した実施の形態に限定されるものではなく、当業者であれば、本発明の趣旨を逸脱しない範囲で、前記実施形態に種々の変更を付加して実施することができ、本発明はそれらの変更形態をも包含するものである。
【００４８】
〔別実施形態〕
ところで、図１０に示すように、スロットマシン１Ａは、複数の図柄ベルトを回転させるようにしたベルト式であってもよい。このベルト式スロットマシン１Ａは、箱状本体２Ａ内の棚板の上面に、可変表示機構５０Ａの一部を構成するベルトユニット８０が設けられたものである。従って、スロットマシン１Ａの前扉３Ａに有する入賞図柄表示パネル６、遊技用のメイン表示パネル８、遊技テーマをイメージするイメージパネル１７、メダル受け皿２０等が実施形態のスロットマシン１と同様に設けられており、その他の詳しい説明を省略する。
【００４９】
可変表示機構５０Ａは、ベルトユニット８０（これが表示ユニットに相当する）と、主制御基板５８を収容した基板ケース５９等を一体的に組み合わせて構成されている。そこで、ベルトユニット８０について説明する。このベルトユニット８０は、本体フレーム８１内に同様に構成された３つの駆動機構８０Ａ〜８０Ｃを備えたものであり、そのうちの奥側の１つの駆動機構８０Ａについて説明する。
【００５０】
図１１に示すように、本体フレーム８１内に配設された略長方形の板部材からなる支持板８２の下端部に、駆動プーリ８３が回転可能に枢支され、この駆動プーリ８３は図示外の駆動モータに連結されている。支持板８２の上端部には、その前側に従動プーリ８４が回転可能に枢着されるともに、その後側にテンションプーリ８５が回転可能に枢着されている。支持板８２の高さ方向中段部には、直径の大きいガイドプーリ８６が回転可能に枢着されている。
【００５１】
そして、これら４つのプーリ８３〜８６に所定幅を有する無端状の図柄ベルト８７が掛け渡されている。この図柄ベルト８７の外周面には、「１」〜「９」などの数字図柄だけでなく、「ＢＡＲ」、「ベル」、「プラム」等の複数種の遊技図柄が等間隔に印されている。そして、図柄ベルト８７が回転した場合、図柄ベルト８７の外周部に表された複数種の遊技図柄がメイン表示パネル８の図柄表示窓を介して変動表示され、図柄ベルト８７の回転が停止した場合、図柄表示窓の上段と中段と下段に、図柄ベルト８７の複数の図柄のうちの前側に位置する３つの連続する図柄だけが図柄表示窓を介して停止表示される。
【００５２】
それ故、図柄ベルト８７を有するベルトユニット８０を備えたスロットマシン１Ａであっても、このスロットマシン１Ａを機種変更する場合には、前記実施形態と同様に、箱状本体２Ａに組付ける前のベルトユニット８０に、前扉３Ａに組付ける前のパネル６，８，１７等の装備品を、組付け補助ボードを介してベルトユニット８０に着脱可能に一体的に組付けることができる。
【００５３】
そして、前記実施形態と同様に、必要に応じて、これら３枚の装飾パネル６，８，１７等の装備品を着脱可能にベルトユニット８０に一体的に組付けた状態で１つの箱ケースにより梱包して管理しておくことができる。それ故、機種変更に伴う装飾パネル等の装備品が必要な場合、変更機種に該当する複数の装備品を１つの梱包にでき、この梱包をトラック等に積載して遊技場に搬送することができる。そのため、機種変更用の装備品の梱包作業及び管理が簡単化するだけなく、機種変更に必要な種々の装備品の間違いを解消することができ、搬送作業を能率的に行うことができる。
【００５４】
【発明の効果】請求項１の遊技機によれば、複数種の図柄を夫々表示した複数のリールを夫々回転させて図柄を可変表示させる可変表示手段と開始操作手段と複数の停止操作手段とを備え、更に箱状本体と、前扉と、表示ユニットと、１又は複数の装備品とを備え、箱状本体に組付ける前の表示ユニットに、箱状本体と前扉の少なくとも一方に組付ける前の装備品を着脱可能に一体的に組付けるように構成したので、これら表示ユニットと各種の装備品とを一体的に組付けて、１つの梱包として扱うことができるため、機種毎に１つの梱包として管理することができ、装備品の梱包作業や管理が簡単化する。
【００５５】
更に、機種変更のために、表示ユニットと各種の装備品とをトラック等に積み込んで遊技場に搬送するような場合、変更機種に該当する１つの梱包をトラック等に積載し、遊技場に搬送することができ、機種変更に必要な種々の装備品の間違いを解消することができ、搬送作業を能率的に行うことができる。
【００５６】
請求項２の遊技機によれば、複数種の図柄を夫々表示した複数のベルトを夫々回転させて図柄を可変表示させる可変表示手段と開始操作手段と複数の停止操作手段とを備え、更に箱状本体と、前扉と、表示ユニットと、１又は複数の装備品とを備え、箱状本体に組付ける前の表示ユニットに、箱状本体と前扉の少なくとも一方に組付ける前の装備品を着脱可能に一体的に組付けるように構成したので、前記請求項１と同様の効果を奏することができる。
【図面の簡単な説明】
【図１】本発明の実施の形態に係るスロットマシンの斜視図である。
【図２】スロットマシンの内部の正面図である。
【図３】装飾パネルを取外した図１相当図である。
【図４】リールユニットを取外すときのスロットマシンの斜視図である。
【図５】３枚のパネルの組付けを説明する説明図である。
【図６】３枚のパネルを組付けたリールユニットの背面図である。
【図７】図６のＧ−Ｇ線縦断側面図である。
【図８】３枚のパネルを一体的に組付けたリールユニットの斜視図である。
【図９】変更形態に係る図８相当図である。
【図１０】別実施形態に係るスロットマシンの斜視図である。
【図１１】別実施形態に係るスロットマシンのベルトユニットに有する駆動機構の側面図である。
【符号の説明】
１　　スロットマシン
１Ａ　スロットマシン
２　　箱状本体
２Ａ　箱状本体
３　　前扉
３Ａ　前扉
６　　入賞図柄表示パネル
６ａ　　連結用フック
８　　　メイン表示パネル
８ａ　　連結用フック
１３　　スタートレバー
１４〜１６　　ストップボタン
１７　　イメージパネル
１７ａ　連結用フック
５１　　リールユニット
５０　　可変表示機構
５０Ａ　可変表示機構
５４〜５６　回転リール
５８　　主制御基板
５９　　基板ケース
８０　　ベルトユニット
８７　　図柄ベルト
【図１】
2004129700.tif 000003
【図２】
2004129700.tif 000004
【図３】
2004129700.tif 000005
【図４】
2004129700.tif 000006
【図５】
2004129700.tif 000007
【図６】
2004129700.tif 000008
【図７】
2004129700.tif 000009
【図８】
2004129700.tif 000010
【図９】
2004129700.tif 000011
【図１０】
2004129700.tif 000012
【図１１】
2004129700.tif 000013